(57)【要約】【課題】本発明は、組織の部分的切除によって生じた欠損部に埋設して用いられる脂肪組織を再生することができる生分解性（吸収性）の脂肪組織再建用部材を提供する。【解決手段】脂肪組織再建用部材であって、コラーゲンを含むスポンジ及びポリ乳酸を含む多孔体を含み、該多孔体が内部空間を有する袋形状を有し、その内部空間に該スポンジが収容されてなり、該多孔体の孔の大きさ及び個数が、該袋形状の内部に脂肪組織が到達でき、かつ、コラーゲンを足場にして脂肪組織が十分に再生できる程度である、部材に関する。【選択図】図２
2018110869.tif 000002
【特許請求の範囲】
【請求項１】
脂肪組織再建用部材であって、コラーゲンを含むスポンジ及びポリ乳酸を含む多孔体を含み、該多孔体が内部空間を有する袋形状を有し、その内部空間に該スポンジが収容されてなり、該多孔体の孔の大きさ及び個数が、該袋形状の内部に脂肪組織が到達でき、かつ、コラーゲンを足場にして脂肪組織が十分に再生できる程度である、部材。
【請求項２】
前記多孔体が、ポリ乳酸を含むメッシュシートを袋形状に固定した袋状物である、又は、ポリ乳酸を含む多孔性カプセルである、請求項１に記載の脂肪組織再建用部材。
【請求項３】
前記多孔体が、ポリ乳酸を含むメッシュシートを袋形状に固定した袋状物であり、メッシュ開口部の縦及び横のサイズが、それぞれ０．０１ｍｍ〜６ｍｍである、請求項２に記載の脂肪組織再建用部材。
【請求項４】
前記多孔体が、ポリ乳酸を含む多孔性カプセルであり、孔の径が、０．０１ｍｍ〜６ｍｍである、請求項２に記載の脂肪組織再建用部材。
【請求項５】
組織の部分的切除によって生じた欠損部に埋設して用いられる、請求項１〜４のいずれかに記載の脂肪組織再建用部材。
【発明の詳細な説明】
【技術分野】
【０００１】
本発明は、脂肪組織再建用部材及びその製造方法に関する。具体的には、乳がんの病巣
組織を切除した乳房欠損部に埋入して乳房（脂肪組織）の再建に用いられる脂肪組織再建
用部材に関する。
【背景技術】
【０００２】
乳がんの治療方法として、乳房にできたがんを手術により切除する方法（外科療法）が
採用されている。近年、患者のＱＯＬの観点から、乳房の病巣組織を部分的に切除する乳
房温存手術が普及してきているが、部分的切除であっても必然として患部に陥没が生じて
しまい、患者に精神的な負担を強いることに変わりはない。そのため、外科療法の後に乳
房再建術を受ける患者が増加している。
【０００３】
乳房再建術としては、シリコン製のインプラントが主に用いられているが、生体非吸収
性であるため感染を起こす可能性があり、また、接触によるアレルギー、発がん等の悪影
響も懸念されている。
【０００４】
他の方法として、他部位から脂肪組織を採取し、それを陥没のある患部に移植する方法
もあるが、移植後速やかに吸収されてしまい再度陥没することがある。また、組織を採取
することで新たな創傷が生じＱＯＬの観点から必ずしも好ましくない。
【０００５】
そこで、乳房組織の部分的切除により生じた窪みや変形を整えて乳房を再建するために
、生体適合性の多孔質シートから形成される、内部空間を有する袋状部を備え、該袋状部
に基づいて弾性復元力を有する乳房メッシュインプラントが報告されている（特許文献１
及び２）。
【０００６】
しかし、当該乳房メッシュインプラントは袋状部により弾性復元力が付与されるもので
あるが、袋状部が生分解性（吸収性）の材料の場合には袋状部が経時的に消失してしまう
ため弾性復元力を長期間保持できないことになる。弾性復元力が付与され胸部の自然な乳
房の膨らみを長期間保持するためには、袋状部は非生分解性（非吸収性）の材料で構成さ
れている必要がある。特許文献１及び２の実施例では、袋状部の材料として非生分解性（
非吸収性）のポリプロピレン製のメッシュシートが推奨されている。
【０００７】
このように、当該乳房メッシュインプラントは基本的に生体内で吸収されずに残るもの
であるため、生体にとっては異物であり、それに伴う感染やアレルギー等の問題が生じる
可能性があった。
【先行技術文献】
【特許文献】
【０００８】
【特許文献１】特開2004-130118号公報
【特許文献２】特開2005-137398号公報
【発明の概要】
【発明が解決しようとする課題】
【０００９】
本発明は、乳房の部分的切除後において、脂肪組織を再生することにより乳房を再建す
ることができる生分解性（吸収性）の脂肪組織再建用部材を提供することを課題とする。
具体的には、脂肪組織が再生し乳房が再建されるまでの期間は強度を保持し、脂肪組織再
生後に生体に吸収される乳房の脂肪組織再建用部材を提供することを課題とする。
【課題を解決するための手段】
【００１０】
本発明者は、上記課題を達成すべく鋭意研究を重ねた結果、周囲からの圧迫に対し強度
を保持する生分解性材料（特に、ポリ乳酸）を含む多孔体と、乳房の脂肪組織を再生する
ための足場としてコラーゲンを含むスポンジとを組み合わせた部材が、上記課題を解決で
きることを見いだした。かかる知見に基づきさらに研究を重ねた結果、本発明を完成する
に至った。
【００１１】
本発明は、下記の乳房の脂肪組織再建用部材を提供する。
【００１２】
項１  乳房再建用の脂肪組織再建用部材であって、コラーゲンを含むスポンジ及びポリ
乳酸を含む多孔体を含み、該多孔体が内部空間を有する袋形状を有し、その内部空間に該
スポンジが収容されてなる、部材。
【００１３】
項２  前記多孔体が、ポリ乳酸を含むメッシュシートを袋形状に固定した袋状物である
、項１に記載の乳房の脂肪組織再建用部材。
【００１４】
項３  前記多孔体が、ポリ乳酸を含む多孔性カプセルである、項１又は２に記載の乳房
の脂肪組織再建用部材。
【００１５】
項４  乳房の部分的切除によって生じた欠損部に埋設して用いられる、項１〜３のいず
れかに記載の乳房の脂肪組織再建用部材。
【００１６】
項５  前記多孔体の孔の大きさ及び個数が、袋形状の内部に脂肪組織が到達でき、かつ
、コラーゲンを足場にして脂肪組織が十分に再生できる程度である、項１〜４のいずれか
に記載の乳房の脂肪組織再建用部材。
【発明の効果】
【００１７】
本発明の乳房の脂肪組織再建用部材は、乳房の脂肪組織を効果的に再生させて乳房を再
建することができる。具体的には、乳がんの外科療法として乳房を部分的に切除した後、
その患部に本発明の部材を埋入することにより、脂肪組織を効率的に再生させて乳房を再
建することができる。
【００１８】
この部材は、ポリ乳酸を含む袋形状の多孔体の内部に、コラーゲンを含むスポンジを保
持しているため、該多孔体により弾性復元力が付与され胸部の自然な乳房の膨らみを長期
間保持することができ、同時に保持されたコラーゲンを含むスポンジが脂肪組織を再生で
きるため、乳房の再陥没を防ぐことができる。
【００１９】
特に、本発明の部材は、該多孔体の材料にポリ乳酸を用いているため、長期間の形状保
持に必要な強度と生分解性速度を有している。該多孔体内に保持されたコラーゲンを含む
スポンジが脂肪組織を再生する足場として働くとともに、該スポンジで脂肪組織が再生す
るまで、該多孔体が周囲の組織からの圧迫に対して強度を保持する働きを有する。
【００２０】
また、本発明の部材は、生分解性材料（ポリ乳酸及びコラーゲン）からなり乳房再建後
は生体に吸収されるため、生体内に残留することで生じる不都合（炎症、感染症、アレル
ギー、発がん等）は生じない。
【００２１】
従来の非生分解性材料を用いた乳房再建材料は、基本的に生体内に残留することで乳房
の形状を保持し弾力性を補完するものであるのに対し（例えば、特許文献１及び２）、本
発明の部材は、乳房の欠損部に脂肪組織を再生させて乳房を再建し、その役割を終えた後
は生体内に吸収され得るものである。これにより、患者のＱＯＬが飛躍的に向上する。
【図面の簡単な説明】
【００２２】
【図１】コラーゲンスポンジをポリ乳酸のメッシュシートで被覆して得られた本発明の脂肪組織再建用部材の写真である。
【図２】コラーゲンスポンジ１をポリ乳酸のメッシュ２で被覆して脂肪組織再建用部材３を製造する工程を示す。
【図３】コラーゲンスポンジ１を、２つのドーム状のポリ乳酸の多孔性カプセル４ではさみ込み、これを固着して、脂肪組織再建用部材５を製造する工程を示す。
【図４】組織中のメッシュに相当する部分の断面を示し、断面における部材内部の面積７と、その部材内部の脂肪の面積８を示す。
【発明を実施するための形態】
【００２３】
以下、本発明について詳細に説明する。
【００２４】
本明細書において、用語「含む」には「必須として含む」及び「のみからなる」の両方
の意味を包含する。
本発明の脂肪組織再建用部材は、乳がんの病巣組織を部分的に切除した乳房欠損部に埋
入して乳房（脂肪組織）を再建するために用いられる部材である。当該部材は、コラーゲ
ンを含むスポンジ及び生分解性材料（特に、ポリ乳酸）を含む多孔体を組み合わせたもの
であり、該多孔体が内部空間を有する袋形状を有し、その内部空間に該スポンジが収容さ
れていることを特徴とする。
【００２５】
スポンジはコラーゲンを含み、コラーゲンを主成分として含むものが好ましく、スポン
ジ中にコラーゲンを５０質量％以上、６０質量％以上、７０質量％以上、８０質量％以上
、９０質量％以上、９５質量％以上、特に１００質量％含むものが好ましい。
【００２６】
コラーゲンとしては特に限定はなく、牛、豚等の皮膚や腱等に由来するものを用いるこ
とができる。抗原性を排除してより安全性を高める観点から、コラーゲンをプロテアーゼ
やペプシン等の酵素で処理して、テロペプチドをできる限り除去したアテロコラーゲンが
好ましい。
【００２７】
コラーゲンスポンジの具体例として、例えば、ペルナック（スミス・アンド・ネフュー
ウンドマネジメント株式会社）、テルダーミス（テルモ株式会社）等が挙げられる。
【００２８】
多孔体に含まれる生分解性材料としては、脂肪組織が再生し乳房が再建されるまで強度
を保持し、その後、生体内に吸収される材料であり、好ましくは、ポリ乳酸（Ｄ−、Ｌ−
、メソ体、それらの混合物）である。特にポリＬ−乳酸（ＰＬＬＡ）が好ましい。ポリ乳
酸の重量平均分子量は、通常、４０００〜２０００００程度である。重量平均分子量はＧ
ＰＣを用いて測定した値である。
【００２９】
多孔体中にポリ乳酸（特に、ＰＬＬＡ）を５０質量％以上、６０質量％以上、７０質量
％以上、８０質量％以上、９０質量％以上、９５質量％以上、特に１００質量％含むもの
が好ましい。
【００３０】
多孔体は、内部空間を有する袋形状を有していれば特に限定はない。例えば、ポリ乳酸
を含むメッシュシートを袋形状に固定した袋状物、ポリ乳酸を含む多孔性カプセル等の形
態が例示される。コラーゲンを含むスポンジが、該多孔体の内部空間に収容されている。
多孔体の孔は、脂肪組織がその孔を通り内部に存在する該スポンジに到達し得る程度の大
きさであれば特に限定はない。
【００３１】
例えば、多孔体が上記のメッシュシートを袋形状に固定した袋状物である場合、メッシ
ュシートは、モノフィラメント又はマルチフィラメントから形成される網目状物（ネット
）、織物、編物等を挙げることができる。フィラメントの繊維の太さは特に限定はなく、
通常、０．０５〜０．５ｍｍ程度、好ましくは０．１〜０．４ｍｍ程度である。メッシュ
の伸縮性、弾性、保形性、脂肪組織の進入性等の観点から、モノフィラメントから形成さ
れる網目状又は編み状のメッシュシートが好ましい。メッシュ開口部の縦及び横のサイズ
が、それぞれ０．０１ｍｍ〜６ｍｍ程度、好ましくは０．０２ｍｍ〜５ｍｍ程度である。
言い換えれば、縦及び横のサイズが、０．０１ｍｍ×０．０１〜６ｍｍ×６ｍｍ程度、好
ましくは０．０２ｍｍ×０．０２ｍｍ〜５ｍｍ×５ｍｍ程度である。
【００３２】
通常、メッシュシートを加工して開口部を有する袋形状とし、これにスポンジを収容し
た後、当該開口部を縫合、結紮、融着、接着等の任意の手段で固着して製造することがで
きる。具体的には、例えば、メッシュシートの筒状物にスポンジを収容した後、その両端
を固着して製造することができる。或いは、メッシュシートの筒状物の一方の開口部を固
着しこれにスポンジを収容した後、他方の開口部を固着して製造することができる。例え
ば、図１及び図２を参照。
【００３３】
多孔体がポリ乳酸を含む多孔性カプセルである場合、多数の孔を有するカプセルにスポ
ンジを収容した後、カプセルを固着して製造することができる。具体的には、例えば、多
数の孔を有するドーム状の２つのカプセルを用意し、この２つのカプセルでスポンジを収
容した後、カプセル同士を融着、接着等の任意の手段で固着することで製造することがで
きる。例えば、図３を参照。
【００３４】
多孔性カプセルの孔（開口部）のサイズは、脂肪組織の進入性等が確保されるものであ
れば特に限定はない。孔の径は、例えば、０．０１〜６ｍｍ程度、好ましくは０．０２〜
５ｍｍ程度である。
【００３５】
本発明の脂肪組織再建用部材の大きさ及び形状は特に限定はなく、通常、乳房欠損部に
埋入配置するのに適した大きさと形状に調製することができる。通常、多孔体の形状がこ
の部材の形状となる。例えば、部材の最長幅として、通常１〜１５ｃｍ程度、好ましくは
２〜１０ｃｍ程度、より好ましくは２〜８ｃｍ程度を挙げることができる。また、最短幅
として、通常１〜１０ｃｍ程度、好ましくは２〜１０ｃｍ程度、より好ましくは２〜８ｃ
ｍ程度を挙げることができる。
【００３６】
本発明の脂肪組織再建用部材は、乳がんの病巣組織を切除した乳房欠損部に埋入するこ
とで、乳房（脂肪組織）を再建することができる。乳房切除手術と同時に該部材を埋入で
きるため、患者の肉体的及び精神的苦痛を大きく低減することができる。また、切除した
欠損部の形状に応じて該部材の形状を調製することができる。
【００３７】
この部材は、埋入後、三次元的に脂肪組織を再生する足場となる。スポンジが多孔体内
部に収容された構造を有しているため、当該孔を通して、周辺の脂肪組織が容易にスポン
ジに侵入することができ、スポンジに接着した脂肪組織へ充分な栄養を供給することが可
能となる。また、多孔体により部材の保形性を維持しつつ、スポンジにて脂肪組織を再生
することができる。さらに、全て生分解性材料で構成されているため乳房再建後に生体内
に吸収されることから、感染、アレルギー、発がん等の問題を生じることはない。このよ
うに、脂肪組織を効率的に再生することができることから、乳房再建用インプラントとし
て極めて有用である。
【実施例】
【００３８】
本発明を、実施例を用いて具体的に説明するが、本発明はこれに限定されるものではな
い。
【００３９】
実施例１
乳房にみたてたラットの鼠径部に種々の試料を導入して、一定期間後の脂肪組織の再生
の程度を評価した。
（１）試料の調製
ポリ乳酸（ＰＬＬＡ）で作られたメッシュシート（０．２〜０．２５ｍｍの糸で作製、
メッシュ開口部１×１ｍｍ〜２×２ｍｍ）でコラーゲンスポンジ（製品名：ペルナック、
スミス・アンド・ネフュー  ウンドマネジメント社製）を被覆し、楕円状の部材Ａを製造
した。部材Ａの最長幅は２ｃｍであり、最短幅は１ｃｍであった。一方、コラーゲンスポ
ンジを用いないこと以外は、上記と同様にして、ポリ乳酸（ＰＬＬＡ）メッシュのみから
なる楕円状の部材Ｂを製造した。
（２）実験手順
細胞、成長因子を使用せずに、上記で得られた部材Ａ及びＢをラットの鼠径部へ埋入し
、脂肪組織の再生の程度を評価した。ラットの左右２カ所の鼠径部に部材Ａを埋入し、別
のラットの左右２カ所の鼠径部に部材Ｂを埋入して、それぞれ周囲（脂肪筋膜や筋）と軽
くナイロンで固定した。脂肪筋膜と筋をナイロンで縫合した。
（３）評価方法及び結果
上記ラットの鼠径部に埋入した後、３ヶ月後及び６ヶ月後の各部材を含む脂肪組織を採
取した。組織中のメッシュに相当する部分の断面を切り取り、断面における部材内部の面
積と、その部材内部の脂肪の面積を測定した（図４を参照）。その結果を表１及び表２に
示す。部材内部の面積及び部材内部の脂肪の面積は、画像統合ソフトウェアーNIS-Elemen
ts  D (version 2,20：株式会社ニコン製)を用いて測定した。
【００４０】
【表１】
2018110869.tif 000003
【００４１】
【表２】
2018110869.tif 000004
【００４２】
表１より、埋入後３ヶ月後において、コラーゲンスポンジがポリ乳酸のメッシュで被覆
されてなる部材Ａは、ポリ乳酸のメッシュのみからなる部材Ｂに比べて、部材内部の面積
が大きく、さらに６ヶ月経過後は更に面積が増大している。これは、部材Ａのスポンジを
収容したメッシュでは、埋入後でも形状が十分に保持されていることを示すものである。
【００４３】
また、表２より、埋入後３ヶ月後において、部材Ａは部材Ｂに比べて、部材内部の脂肪
の面積が顕著に大きくなり、しかも６ヶ月経過後は、３倍近く脂肪面積が増大しているこ
とが分かる。これは、部材Ａの内部に収容されたコラーゲンスポンジが、部材Ｂと比べて
、脂肪組織を効率的に再生出来ていることを示すものである。
【００４４】
これらの結果より、本発明の部材Ａは、乳房の欠損部に脂肪組織を再生させて乳房を再
建するための部材として有用であることが分かった。
【産業上の利用可能性】
【００４５】
本発明の乳房の脂肪組織再建用部材は、乳がんの外科療法として乳房を部分的に切除し
た後、その患部に本発明の部材を埋入することにより、脂肪組織を効率的に再生させて乳
房を再建することができる。
【符号の説明】
【００４６】
１  コラーゲンスポンジ
２  ポリ乳酸のメッシュ
３  脂肪組織再建用部材
４  多孔性カプセル
５  脂肪組織再建用部材
６  脂肪組織再建用部材（メッシュ）内部の脂肪の面積
７  脂肪組織再建用部材（メッシュ）内部の面積
８  部材を構成するメッシュの糸の断面
【図１】
2018110869.tif 000005
【図２】
2018110869.tif 000006
【図３】
2018110869.tif 000007
【図４】
2018110869.tif 000008